(57)【要約】【課題】売り上げを増加させるために料金の割引を設定することができるコインランドリー管理システムに用いられる衣類用金銭管理具及び衣類用金銭管理装置を提供する。【解決手段】衣類用金銭管理具１９は、ユーザが金銭投入機３０に金銭を投入した場合に、金銭投入機３０から出力され衣類取扱機械１２へ入力される金銭投入信号を検出する信号検出部３３，３４と、金銭投入機３０からの金銭投入信号が出力されていない時に、金銭投入信号と同一の働きする疑似金銭投入信号を衣類取扱機械１２へ出力する疑似金銭投入信号出力部３５と、を有する。【選択図】図２
2016158832.tif 000002
【特許請求の範囲】
【請求項１】
ユーザが金銭投入機に金銭を投入した場合に、前記金銭投入機から出力され衣類取扱機械へ入力される金銭投入信号を検出する信号検出部と、
前記金銭投入機からの金銭投入信号が出力されていない時に、金銭投入信号と同一の働きをする疑似金銭投入信号を前記衣類取扱機械へ出力する疑似金銭投入信号出力部と、
を有する、
衣類用金銭管理具。
【請求項２】
前記信号検出部が検出した金銭投入信号に関する金銭投入情報を出力するインターフェース部を有する
請求項１記載の衣類用金銭管理具。
【請求項３】
請求項２に記載の前記衣類用金銭管理具を複数有し、
複数の前記衣類用金銭管理具の各前記インターフェース部と電気的に接続される制御部を有し、
前記制御部は、各前記インターフェース部からの、前記金銭投入情報の入力を受け、
前記制御部は、前記インターフェース部へ、前記疑似金銭投入信号を出力させる疑似命令信号を出力する
衣類用金銭管理装置。
【請求項４】
前記制御部は、金銭投入信号の検出回数と疑似金銭投入信号の出力回数との関係を設定可能である
請求項３に記載の衣類用金銭管理装置。
【請求項５】
前記制御部は、情報通信網を通じて、他の端末装置に対して少なくとも前記金銭投入情報に関する情報を出力可能である
請求項３又は４に記載の衣類用金銭管理装置。
【請求項６】
集金ボタンを有し、
前記集金ボタンが押された場合に、前記衣類用金銭管理具又は前記制御部は、金銭投入に関する情報をリセットする
請求項３〜５のいずれか１項に記載の衣類用金銭管理装置。
【請求項７】
情報通信網に接続された他の端末装置による操作によって、疑似金銭投入信号を前記衣類取扱機械へ出力する請求項１又は２に記載の衣類用金銭管理具。
【請求項８】
ユーザを特定する表示を読み取る読み取り部と、
ユーザによる操作を受け付ける操作部と、を有し、
前記衣類用金銭管理具は、ユーザによる前記操作部への操作に基づいて、疑似金銭投入信号を前記衣類取扱機械へ出力する
請求項３〜６いずれか１項に記載の衣類用金銭管理装置。
【発明の詳細な説明】
【技術分野】
【０００１】
本発明は、衣類用金銭管理具及び衣類用金銭管理装置に関し、特にコインランドリー管理システムに用いられる衣類用金銭管理具及び衣類用金銭管理装置に関する。
【背景技術】
【０００２】
従来、コインランドリーを無人で営業したい、又は、２４時間の営業をしたい等の要望があった。
しかしながら、無人で２４時間営業にしたときの安全面に問題がある。
例えば、泥棒が入ったり、浮浪者に入られたりするなどの問題である。
また、無人で営業したときには、クレームの対応や返金の対応に遅れが生じ、手間がかかるという問題がある。
さらに、コインランドリーの経営では、特定の顧客からの集金も手間がかかるものである。
【０００３】
そこで、コインランドリー管理システムとして、様々な提案がなされている。
例えば特許文献１〜４において、インターネットで常時接続されたネットワークカメラの撮影画像に基づいてコインランドリー利用者のクレーム対応を迅速且つ的確に行なえるコインランドリー管理システムを提案している。
さらに、コインランドリー管理システムにおいて各種の情報を提供するタッチパネル装置を用いた情報提供システムも提案している。
【先行技術文献】
【特許文献】
【０００４】
【特許文献１】特開２００１−１２９３００号公報
【特許文献２】特開２００６−３５２１７９号公報
【特許文献３】特開２００７−２９６６６号公報
【特許文献４】特開２００８−２８９８９５号公報
【発明の概要】
【発明が解決しようとする課題】
【０００５】
しかしながら、上記の特許文献１〜４に記載されているコインランドリー管理システムは、コインランドリー利用者のクレーム対応を迅速に行い、少人数での２４時間の管理を実現することができるが、近隣に競合店があるなどの場合に、売り上げを増加させるために料金の割引を設定することができないという問題点がある。
【０００６】
本発明は、上記問題点に鑑みなされたものであり、衣類用金銭管理具及び衣類用金銭管理装置の設置者により高機能な衣類用金銭管理具及び衣類用金銭管理装置を提供することを目的とするものである。
より具体的な目的の一例としては、売り上げを増加させるために料金の割引を設定することが可能であるコインランドリー管理システムに用いられる衣類用金銭管理具及び衣類用金銭管理装置を提供することである。
さらに、他の具体的な目的の一例としては、ユーザが普段利用しない時間に利用するように誘導したりすることによって、利用の集中を避けチャンスロスを低減することがかのうな衣類用金銭管理具及び衣類用金銭管理装置を提供することである。
さらに、他の具体的な目的の一例としては、ユーザに対してより便利な利用方法ができる衣類用金銭管理具及び衣類用金銭管理装置を提供することである。
また、他の具体的な目的の一例としては、設置者がより容易に衣類用金銭管理具及び衣類用金銭管理装置を管理することを可能とすることが可能な衣類用金銭管理具及び衣類用金銭管理装置を提供することである。
加えて、他の具体的な目的の一例としては、設置者がより容易に衣類用金銭管理具及び衣類用金銭管理装置からより高効率で収入を得ることが可能な衣類用金銭管理具及び衣類用金銭管理装置を提供することである。
【課題を解決するための手段】
【０００７】
本発明の衣類用金銭管理具は、ユーザが金銭投入機に金銭を投入した場合に、金銭投入機から出力され衣類取扱機械へ入力される金銭投入信号を検出する信号検出部と、金銭投入機からの金銭投入信号が出力されていない時に、金銭投入信号と同一の働きをする疑似金銭投入信号を前記衣類取扱機械へ出力する疑似金銭投入信号出力部と、を有する、ことを特徴としている。
【０００８】
好適には、衣類用金銭管理具は、信号検出部が検出した金銭投入信号に関する金銭投入情報を出力するインターフェース部を有することを特徴としている。
【０００９】
本発明の衣類用金銭管理装置は、上記衣類用金銭管理具を複数有し、複数の衣類用金銭管理具の各インターフェース部と電気的に接続される制御部を有し、制御部は、各インターフェース部からの、金銭投入情報の入力を受け、制御部は、インターフェース部へ、疑似金銭投入信号を出力させる疑似命令信号を出力することを特徴としている。
【００１０】
好適には、衣類用金銭管理装置は、制御部が、金銭投入信号の検出回数と疑似金銭投入信号の出力回数との関係を設定可能であることを特徴としている。
【００１１】
好適には、衣類用金銭管理装置は、制御部が、情報通信網を通じて、他の端末装置に対して少なくとも金銭投入情報に関する情報を出力可能であることを特徴としている。
【００１２】
好適には、衣類用金銭管理装置は、集金ボタンを有し、集金ボタンが押された場合に、衣類用金銭管理具又は制御部は、金銭投入に関する情報をリセットすることを特徴としている。
【００１３】
好適には、衣類用金銭管理具は、情報通信網に接続された他の端末装置による操作によって、疑似金銭投入信号を衣類取扱機械へ出力することを特徴としている。
【００１４】
好適には、衣類用金銭管理装置は、ユーザを特定する表示を読み取る読み取り部と、ユーザによる操作を受け付ける操作部と、を有し、衣類用金銭管理具は、ユーザによる操作部への操作に基づいて、疑似金銭投入信号を衣類取扱機械へ出力することを特徴としている。
【発明の効果】
【００１５】
本発明によれば、上記問題点に鑑みなされたものであり、衣類用金銭管理具及び衣類用金銭管理装置の設置者により高機能な衣類用金銭管理具及び衣類用金銭管理装置を提供することが可能となる。
より具体的な目的の一例としては、売り上げを増加させるために料金の割引を設定することが可能であるコインランドリー管理システムに用いられる衣類用金銭管理具及び衣類用金銭管理装置を提供することが可能となる。
さらに、他の具体的な目的の一例としては、ユーザが普段利用しない時間に利用するように誘導したりすることによって、利用の集中を避けチャンスロスを低減することがかのうな衣類用金銭管理具及び衣類用金銭管理装置を提供することが可能となる。
さらに、他の具体的な目的の一例としては、ユーザに対してより便利な利用方法ができる衣類用金銭管理具及び衣類用金銭管理装置を提供することが可能となる。
また、他の具体的な目的の一例としては、設置者がより容易に衣類用金銭管理具及び衣類用金銭管理装置を管理することを可能とすることが可能な衣類用金銭管理具及び衣類用金銭管理装置を提供することが可能となる。
加えて、他の具体的な目的の一例としては、設置者がより容易に衣類用金銭管理具及び衣類用金銭管理装置からより高効率で収入を得ることが可能な衣類用金銭管理具及び衣類用金銭管理装置を提供することが可能となる。
【図面の簡単な説明】
【００１６】
【図１】本発明の本実施形態に係るコインランドリー管理システムの一実施例を示すネットワーク構成の説明図である。
【図２】本発明の本実施形態に係る衣類用金銭管理具を説明するブロック構成図である。
【図３】本実施形態に係るコインランドリー管理システムでの割引の原理を説明する図である。
【図４】管理者側の端末装置での割引の設定をするための表示画面である。
【図５】割引情報が制御部に送られた後の衣類用金銭管理装置の各部での動作を示すフロー図である。
【図６】操作部のタッチパネルの表示画面の一例を示す図である。
【発明を実施するための形態】
【００１７】
以下、本発明の実施形態を、図１〜図６を用いて詳細に説明する。
【００１８】
図１は本発明に係るコインランドリー管理システムの一実施例を示すネットワーク構成の説明図である。
図１に示すように、本発明に係るコインランドリー管理システム１０は、コインランドリー店舗１１に設置された複数の乾燥機や洗濯乾燥機等の衣類取扱機械１２と金銭投入機３０（図２）とから衣類取扱機械１２への第１信号線４１，第２信号線４２，ＧＮＤ線４３（図２）に接続された衣類用金銭管理装置１３とを備えている。
また、コインランドリー管理システム１０は、衣類用金銭管理装置１３が光回線１４を介してインターネット１５に常時接続し、管理者側１６に設置された端末装置１７（パーソナルコンピュータ１７−１，スマートフォン１７−２）と光回線１４を介してインターネット１５に常時接続し、さらに、インターネット１５を介してサーバー１８とが光回線１４を介して常時接続されて構成されている。
サーバー１８、記憶部３２（図２参照）及び制御部２１の記憶装置の内容を、バックアップのためなどに記憶している。これによって、万一、衣類用金銭管理装置１３等が故障した場合などでも迅速に復旧が可能となる。
【００１９】
衣類用金銭管理装置１３は、金銭投入機３０（図２）とから衣類取扱機械１２への第１信号線４１，第２信号線４２，ＧＮＤ線４３（図２）に接続された複数の衣類用金銭管理具１９と、複数の衣類用金銭管理具１９から一台の衣類用金銭管理具１９を選択して電気的に接続をするセレクタ部２０と、複数の衣類用金銭管理具１９とセレクタ部２０を介して電気的に接続する制御部２１と、ルータ２２と、ルータ２２に接続されたユーザによる操作を受け付けるタッチパネル等の操作部２３と、ユーザを特定するバーコード等の表示を読み取るバーコードリーダー等の読み取り部２４とを備えている。
また、衣類用金銭管理装置１３は、集金ボタン２５を有し、集金ボタン２５が押された場合に、各衣類用金銭管理具１９又は制御部２１は、金銭投入に関する情報を集計する。具体的には、前回集金ボタン２５が押された後から、今回集金ボタン２５が押されるまでの間の、ユーザが現実に投入した現金の額、プリペードカードによる支払い額（図２のプリペードカード投入機４０参照）等である。
なお、操作部２３と読み取り部２４はルータを介して、制御部２１と接続されているが、直接、制御部２１と接続されて、制御部２１によって制御されていてもよい。この場合、より迅速に操作部２３からのユーザの操作情報及び読み取り部２４からの読み取り情報が制御部２１の処理に反映させることが可能となる。
【００２０】
制御部２１は、複数の衣類用金銭管理具１９の各インターフェース部３８（図２）と電気的に接続され、制御部２１は、各インターフェース部３８からの、金銭投入情報の入力を受け、制御部２１は、インターフェース部３８へ、後述の疑似金銭投入信号を出力させる疑似命令信号を出力する。
【００２１】
また、制御部２１は、情報通信網を通じて、他の端末装置に対して少なくとも金銭投入情報に関する情報を出力可能である。
金銭投入情報は実際にユーザが投入した金額である。
また、制御部２１は、最後にユーザによって金銭が投入された時刻などの情報を出力可能である。
さらに、制御部２１は、疑似金銭投入信号を出力したことによって、疑似的に発生させた金銭投入量に関する情報等を出力可能である。
【００２２】
さらに、コインランドリー店舗１１には、制御部２１に図示しないネットワークカメラを接続し、光回線１４を介してインターネット１５に常時接続し、光回線１４で、ネットワークカメラの動画像データの送信を同時にすることができる。
なお、光回線は例であり、無線回線、ＬＡＮ回線、電話回線、その他、情報を通信することができるものであればどのようなものであってもよい。
【００２３】
図２は、本発明の本実施形態に係る衣類用金銭管理具を説明するブロック構成図である。衣類用金銭管理具１９は、ＣＰＵ３１と記憶部３２と信号検出部３３，３４，３９と疑似金銭投入信号出力部３５とＧＮＤ３６とインターフェース部３８とを備えている。
信号検出部３３と疑似金銭投入信号出力部３５は、金銭投入機３０に１００円硬貨が投入されたときにプリペードカード投入機４０を介して衣類取扱機械１２に１００円投入信号を送る第１信号線４１に接続されている。
信号検出部３４は、金銭投入機３０に５００円硬貨が投入されたときにプリペードカード投入機４０を介して衣類取扱機械１２に５００円投入信号を送る第２信号線４２に接続されている。
ＧＮＤ３６は、ＧＮＤ線４３に接続されている。
また、第１信号線４１ｂからは、信号検出部３３への信号線４５が接続されている。この信号線４５は、信号検出部３９に接続されている。
ここで、信号線３９は、プリペードカード投入機４０による信号が発生したことを検出するためのものである。
最初に、ユーザが金銭投入機３０に硬貨を投入した場合には、第１信号線４１、４１ｂの両方に信号が発生する。その場合、信号検出部３３、３９の両方が信号を検出する。
これによって、衣類用金銭管理具１９は、ユーザが実際に金銭を投入したことを及びその量の情報を得ることが可能である。
他方、ユーザがプリペードカードを使用した場合、第１信号線４１には信号が発生せず、
プリペードカード投入機４０から第１信号線４１ｂのみに信号（パルス）が発生する。
その結果、信号検出部３９のみが信号（パルス）を検出することができる。
衣類用金銭管理具１９は、プリペードカードによる支払いの有無とその額に関する情報を得ることが可能である。
ＣＰＵ３１は、これら情報を記憶部３２に記憶させる。
【００２４】
信号検出部３３，３４は、ユーザが金銭投入機３０に金銭を投入した場合に、金銭投入機３０から出力され衣類取扱機械１２へ入力される金銭投入信号を検出する。
すなわち、信号検出部３３は、ユーザが金銭投入機３０に１００円硬貨を投入した場合に、金銭投入機３０から出力され第１信号線４１によって衣類取扱機械１２へ入力される１００円投入信号を検出する。
信号検出部３４は、ユーザが金銭投入機３０に５００円硬貨を投入した場合に、金銭投入機３０から出力され第２信号線４２によって衣類取扱機械１２へ入力される５００円投入信号を検出する。
【００２５】
また、信号検出部３３は、１００円投入信号を受信した回数をカウントし、そのカウントした回数（１００円投入回数）をＣＰＵ３１は、記憶部３２に記憶させる。信号検出部３４は、５００円投入信号を受信した回数をカウントし、そのカウントした回数（５００円投入回数）をＣＰＵ３１は、記憶部３２に記憶させる。
【００２６】
疑似金銭投入信号出力部３５は、金銭投入機３０からの金銭投入信号が出力されていない時に、金銭投入信号と同一の働きをする疑似金銭投入信号を衣類取扱機械１２へ出力する。
【００２７】
ここで、ＣＰＵ３１、記憶部３２及びインターフェース部３８は、衣類取扱機械１２の種類（メーカ、機種）に依存せず、どのような種類の機械であっても共通して使用する機種非依存部である。
他方、信号検出部３３，３４，３９、疑似金銭投入信号出力部３５及びＧＮＤ３６は、機種に依存して設計・製造される機種依存部である。
このように機種依存部が存在するのは、メーカや機種によって、たとえば、金銭投入機３０から硬貨が投入された際に生ずるパルスの形状等が異なるからである。
【００２８】
インターフェース部３８は、信号検出部３３、３４、３９が検出した情報を記憶部３２が記憶している情報である金銭投入信号に関する金銭投入情報を出力する。
例えば、インターフェース部３８は、制御部２１から要求された際に、記憶部３２に記憶されている１００円投入回数と５００円投入回数を制御部２１に出力する。
さらに、たとえば、インターフェース部３８は、制御部２１から要求された際に、記憶部３２に記憶されている、プリペードカード投入機によって発生させられた金銭の情報について制御部２１に出力する。
【００２９】
ＣＰＵ３１は、制御部２１からセレクタ部２０を介して送られる制御信号に基づいて、記憶部３２と信号検出部３３，３４，３９と疑似金銭投入信号出力部３５とＧＮＤ３６とインターフェース部３８の動作を制御する。
【００３０】
次に上記構成の本発明の本実施形態に係る衣類用金銭管理具１９と衣類用金銭管理装置１３を備えたコインランドリー管理システム１０での、割引のないときの動作を説明する。
【００３１】
ユーザがコインランドリー店舗１１で衣類取扱機械１２を使用するときは、使用されていない衣類取扱機械１２の金銭投入機３０に必要な枚数の硬貨を投入する。
例えば、６００円必要とすると、１００円硬貨１枚と５００円硬貨１枚をユーザは、金銭投入機３０に投入する。
そのとき、金銭投入機３０から第１信号線４１に１００円投入信号が出力される。１００円投入信号は、衣類取扱機械１２に入力されると同時に、対応する衣類用金銭管理具１９の信号検出部３３によって検出される。
また、金銭投入機３０から第２信号線４２に５００円投入信号が出力される。５００円投入信号は、衣類取扱機械１２に入力されると同時に、対応する衣類用金銭管理具１９の信号検出部３４によって検出される。
衣類取扱機械１２は、使用するために必要な６００円分の投入信号が入力されたので、使用可能となり、ユーザは、その衣類取扱機械１２を使用することができるようになる。
【００３２】
一方、１００円投入信号を受信した信号検出部３３は、１００円投入信号を受信した回数を１回とカウントし、そのカウントした回数（１００円投入回数）をＣＰＵ３１が記憶部３２に記憶させる。
５００円投入信号を受信した信号検出部３４は、５００円投入信号を受信した回数を１回とカウントし、そのカウントした回数（５００円投入回数）をＣＰＵ３１が記憶部３２に記憶させる。
【００３３】
インターフェース部３８は、制御部２１から出力命令がある場合に、記憶部３２に記憶された１００円投入回数１回と５００円投入回数１回をセレクタ部２０を介して制御部２１に出力する。
制御部２１は、それらの複数の衣類取扱機械１２のそれぞれに対応する衣類用金銭管理具１９の記憶部３２に記憶された硬貨投入回数と硬貨が投入された時刻に関する情報を記憶する。その情報は、インターネット１５を経由して管理者側１６の端末装置１７−１，１７−２によって取得することができる。
【００３４】
次に上記構成の本発明の本実施形態に係る衣類用金銭管理具１９と衣類用金銭管理装置１３を備えたコインランドリー管理システム１０での、割引をするときの動作を説明する。
【００３５】
図３によって、本実施形態に係るコインランドリー管理システム１０での割引の原理を説明する。
図３は、衣類取扱機械１２に入力する第１信号線４１ｂに流れるパルス信号を示す図である。まず、金銭投入機３０にＮ個（この図では３個）の１００円硬貨が投入されたとき、金銭投入機３０からは、第１信号線４１に１００円投入信号がＮ回（この図では３回）のパルスとして出力される。
そのとき、衣類用金銭管理具１９の信号検出部３３は、Ｎ回のパルスの１００円投入信号を検出する。ＣＰＵ３１は、記憶部３２に予め記憶された金銭投入信号の検出回数に対する疑似金銭投入信号の出力回数の関係に従って、疑似金銭投入信号出力部３５を制御し、Ｍ回の疑似金銭投入信号のパルス（この図では２回）を、第１信号線４１ｂを介して衣類取扱機械１２に出力する。
これにより、衣類取扱機械１２には、第１信号線４１から（Ｎ＋Ｍ）回（この図では５回）の１００円投入信号が入力されることになり、（Ｎ＋Ｍ）Ｘ１００円分の利用ができることになる。
すなわち、この図では、３００円の投入で５００円分の利用ができる。
なお、Ｍ回の疑似金銭投入信号のパルスは、所定の時間（たとえば３分程度）の間に、１回のみ発生させる構成としてもよいし、複数回発生させてもよい。ここで、複数回発生させる場合とは、Ｎ回のパルスの後にＭ回のパルスを発生させた後に、さらに、ユーザによって金銭が投入されたＮパルスがあった場合に、再度Ｍ回のパルスを発生する場合である。さらに、Ｎ回のパルスがあれば、何度でもＭ回のパルスを発生させる場合である。
なお、たとえば３分としたのは、その間であれば、たとえユーザが両替等で金銭の投入が遅れてしまった場合であっても、ユーザが金銭の投入を完了すると考えられるからである。ここで、あまり長い時間をとってしまうと、関係ない次の利用者へ割引がなされてしまう恐れがあるので、３分程度が適切である。
【００３６】
上記の金銭投入信号の検出回数Ｎと疑似金銭投入信号の出力回数Ｍとの関係は、制御部２１によって設定可能であり、制御部２１の命令により、衣類用金銭管理具１９の記憶部３２に金銭投入信号の検出回数Ｎと疑似金銭投入信号の出力回数Ｍが記憶される。また、記憶部３２には、割引を実行するための制御プログラムが記憶されており、ＣＰＵ３１は、その制御プログラムを実行することにより、衣類用金銭管理具１９の各装置の動作を制御する。また、金銭投入信号の検出回数Ｎと疑似金銭投入信号の出力回数Ｍとの関係は、管理者側１６の端末装置１７−１，１７−２から制御部２１への操作により設定可能である。
【００３７】
衣類用金銭管理具１９は、情報通信網に接続された他の端末装置１７−１，１７−２による操作によって、疑似金銭投入信号を衣類取扱機械１２へ出力することにより、割引をすることもできる。
【００３８】
また、衣類用金銭管理装置１３のユーザを特定するバーコード等の表示を読み取る読み取り部２４と、ユーザによる操作を受け付ける操作部２３を操作することにより、衣類用金銭管理具１９は、疑似金銭投入信号を衣類取扱機械１２へ出力し、割引をすることができる。
又は、ユーザは全く入金することなく、衣類取扱機械１２を利用することも可能となる。
【００３９】
上記の割引は、曜日、時間帯から機種個別で設定することができ、柔軟な割引が可能となる。また、総額いくら以上の場合に、割引などすることも可能となる。
【００４０】
図４は、管理者側１６の端末装置１７−１，１７−２での割引の設定をするための表示画面である。
この設定画面５０では、機種毎に、割引の開始曜日と開始時刻と終了曜日と終了時刻と金銭投入信号の検出回数（キーカウント数）と疑似金銭投入信号の出力回数（生成パルス数）と繰り返しの有無の設定をすることができる。
設定された情報が制御部２１にインターネット１５を介して送ることができ、それにより、制御部２１は、受信した設定情報に従って、衣類用金銭管理具１９の記憶部３２に金銭投入信号の検出回数Ｎと疑似金銭投入信号の出力回数Ｍとの関係を記憶させることができる。
ここで、優先度１、優先度２、優先度３、優先度４というのは、より上位の優先の設定が優先される。その結果、たとえば、優先度２の日時中でさらに、優先度１の日時にはより割引率を高く設定することが可能となる。もちろん、優先度２の日時中でさらに、優先度１の日時にはより低い割引率とすることも可能である。
また、繰返有無は、前述のＮ回のパルスの後にＭ回のパルスを発生させた後に、さらに、ユーザによって金銭が投入されたＮパルスがあった場合にＭ回のパルスを発生させることを繰り返すか否かを設定するためのものである。
【００４１】
図５は、割引情報が制御部２１に送られた後の衣類用金銭管理装置１３の各部での動作を示すフロー図である。
まず、制御部２１は、割引開始時刻（より好ましくは、割引開始時刻の数分前）になったら、セレクタ部２０に管理具選択命令を出力し、その選択された衣類用金銭管理具１９にセレクタ部２０を介して割り引き要求（Ｍ−Ｎ）を送る。
衣類用金銭管理具１９は、記憶部３２に金銭投入信号の検出回数Ｎと疑似金銭投入信号の出力回数Ｍとの関係を記憶し、その要求を受け付けたことを、セレクタ部２０を介して、割り引き応答として制御部２１に送る。
金銭投入機３０に硬貨が投入され、金銭投入信号のパルスがＮ回検出された場合、疑似金銭投入信号出力部３５から疑似金銭投入信号のパルスをＭ回送り、その結果、衣類取扱機械１２が使用可能となる。
【００４２】
割引終了時刻（より好ましくは、割引開始時刻の数分後）になったならば、制御部２１は、管理具選択命令をセレクタ部２０に送り、選択された衣類用金銭管理具１９に割り引き要求リセット要求が送られる。
それにより、衣類用金銭管理具１９の記憶部３２には、割引なしの設定が記憶され、それと共に、衣類用金銭管理具１９は、セレクタ部２０を介して、割引リセット応答を制御部２１に送る。
その後は、衣類用金銭管理具１９は、金銭投入機３０に投入された回数だけが金銭投入信号のパルスとして衣類取り扱い機械に送られ割引がなされなくなる。
【００４３】
図６は、操作部２３のタッチパネルの表示画面の一例を示す図である。
まず、ユーザは、所有する紙、携帯電話機、ＰＤＡ等に表示されたバーコード等のユーザを特定する表示を、読み取り部２４に読み取らせる（図１参照のこと）。
これによって、制御部２１はユーザを特定して以下の操作をそのユーザに可能とする。
表示画面５１には、コインランドリー店舗１１に設置された８台の衣類取扱機械１２が表示されており、そのうち実線５２，５３，５４，５５，５６，５７で表示されているものは、空きの状態を示し、点線５８，５９で表示されているものは、使用中の状態を示している。
ユーザは、実線５２，５３，５４，５５，５６，５７で表示されているいずれかの機種をタッチすることにより、機種を選択することができる。
そして、そのタッチした機種の実際の衣類取扱機械１２が設置された位置では、ＬＥＤが点滅し、その機種の場所を案内するようになっており、ユーザは、そのＬＥＤが点滅している場所に設置された衣類取扱機械１２を利用することを可能としてもよい。
ここで、点線５８、５９で表示されているものは、使用中のものだけではなく、たとえば、疑似金銭投入信号による割引等に対応していない衣類取扱機械１２であってもよい。
また、バーコードによって特定されるユーザの特性等によって、点線で表示されるものと実線で表示されるものとを区別してもよい。
【００４４】
また、ユーザの所有するカードのバーコードに割引の情報を入れておき、バーコードを読み取り、それにより、割引を設定することもできる。
【００４５】
以上のように割引を任意に行うことができる。
また、本装置では金銭管理を自動的に行うので、売上管理を容易に行うことができ、固定の利用者への請求書もインターネットを経由して発行することができるので、集金も容易に行うことができる。
このように、本発明に係る衣類用金銭管理具１９と衣類用金銭管理装置１３とそれらを備えたコインランドリー管理システム１０は、コインランドリーの集客、売上管理、会員制機能などの幅の広い機能によりコインランドリー店舗の運営をサポートすることができる。
さらに、金銭の支払いなく衣類取扱機械１２を利用する機能をユーザに提供することも可能となる。
【００４６】
以上の実施形態で説明された構成、形状、大きさおよび配置関係については本発明が理解・実施できる程度に概略的に示したものにすぎず、また数値および各構成の組成（材質）等については例示にすぎない。従って本発明は、説明された実施形態に限定されるものではなく、特許請求の範囲に示される技術的思想の範囲を逸脱しない限り様々な形態に変更することができる。
【００４７】
＜定義部＞
なお、本発明において、衣類取扱機械の一例が、洗濯機、乾燥機、乾燥機能付き洗濯機である。つまり、衣類取扱機械は、衣類を取り扱うものであればどのようなものであってもよい。
【符号の説明】
【００４８】
１０      コインランドリー管理システム
１１      コインランドリー店舗
１２      衣類取扱機械
１３      衣類用金銭管理装置
１４      光回線
１５      インターネット
１６      管理者側
１７      端末装置
１８      サーバー
１９      衣類用金銭管理具
２０      セレクタ部
２１      制御部
２２      ルータ
２３      操作部
２４      読み取り部
２５      集金ボタン
２６      孔
２７      孔
２８      孔
２９      前部キャップ
３０      金銭投入機
３１      ＣＰＵ
３２      記憶部
３３      信号検出部
３４      信号検出部
３５      疑似金銭投入信号出力部
３６      ＧＮＤ
３８      インターフェース部
３９      信号検出部
４０      プリペードカード投入機
４１      第１信号線
４１ｂ    第１信号線
４２      第２信号線
４３      ＧＮＤ線
４５      信号線
【図１】
2016158832.tif 000003
【図２】
2016158832.tif 000004
【図３】
2016158832.tif 000005
【図４】
2016158832.tif 000006
【図５】
2016158832.tif 000007
【図６】
2016158832.tif 000008